(57)【要約】【課題】モバイルＩＰネットワークについて、上りリンク及び下りリンク毎に異なる通信メディアを使用する場合であっても、モバイルノードとホームエージェントとの間で複数の非対称なトンネルを生成することができる経路制御方法及びシステムを提供する。【解決手段】モバイルノードが、HoAと、上りリンク送信元アドレスとしてのCoA1と、下りリンク送信元アドレスとしてのCoA2とを含む登録要求メッセージを、CoA1に基づく第１の通信メディアを介してホームエージェントへ送信する。これに対し、ホームエージェントが、登録確認メッセージを、CoA2に基づく第２の通信メディアを介してモバイルノードへ返信する。これによって、モバイルノード及びホームエージェントは、第１の通信メディアを経由した上りリンク用の第１のトンネルを確立すると共に、第２の通信メディアを経由した下りリンク用の第２のトンネルを確立する。【選択図】図３
2011146844.tif 000002
【特許請求の範囲】
【請求項１】
ホームエージェントと、該ホームエージェントに対して複数の経路を同時に確立するために複数の通信インタフェースを有するモバイルノードとを有するモバイルＩＰネットワークシステムにおける経路制御方法において、
前記モバイルノードは、第１の通信インタフェースに第１の気付けアドレスを付与し、第２の通信インタフェースに第２の気付けアドレスを付与しており、
前記モバイルノードが、ホームネットワークに対応するホームエージェントアドレスと、上りリンク送信元アドレスとしての第１の気付けアドレスと、下りリンク送信元アドレスとしての第２の気付けアドレスとを含む登録要求メッセージを、第１の気付けアドレスに基づく第１の通信インタフェースから第１の通信メディアを介して前記ホームエージェントへ送信する第１のステップと、
前記ホームエージェントが、前記登録要求メッセージに対応する登録確認メッセージを、第２の気付けアドレスに基づく第２の通信メディアを介して前記モバイルノードへ返信する第２のステップと、
前記モバイルノード及び前記ホームエージェントは、第１の気付けアドレスに基づく第１の通信メディアを経由した上りリンク用の第１のトンネルを確立すると共に、第２の気付けアドレスに基づく第２の通信メディアを経由した下りリンク用の第２のトンネルを確立する第３のステップと
を有することを特徴とする経路制御方法。
【請求項２】
前記登録要求メッセージは、バインディング登録要求メッセージであり、
前記登録確認メッセージは、バインディング登録確認メッセージであり、
第１のステップについて、前記モバイルノードは、第１の気付けアドレス及び第２の気付けアドレスを、前記バインディング登録要求メッセージの拡張フィールドに含めることを特徴とする請求項１に記載の経路制御方法。
【請求項３】
前記モバイルノードは、前記通信インタフェース毎に、上りリンク及び下りリンクについて通信状態を検知し、
第１のステップについて、前記モバイルノードは、前記通信インタフェース毎の上りリンク及び下りリンクそれぞれの通信状態に応じて、上りリンク及び下りリンクの通信メディアを選択する
ことを特徴とする請求項１又は２に記載の経路制御方法。
【請求項４】
前記モバイルノードは、上りリンク及び下りリンク毎に、前記通信インタフェースの優先順位が対応付けられたユーザ設定テーブルを更に有し、
第１のステップについて、前記モバイルノードは、前記ユーザ設定テーブルの優先順位を更に参照して、上りリンク及び下りリンクの通信メディアを選択する
ことを特徴とする請求項３に記載の経路制御方法。
【請求項５】
ホームエージェントと、該ホームエージェントに対して複数の経路を同時に確立するために複数の通信インタフェースを有するモバイルノードとを有するモバイルＩＰネットワークのシステムにおいて、
前記モバイルノードは、第１の通信インタフェースに第１の気付けアドレスを付与し、第２の通信インタフェースに第２の気付けアドレスを付与しており、
前記モバイルノードは、
ホームネットワークに対応するホームエージェントアドレスと、上りリンク送信元アドレスとして第１の気付けアドレスと、下りリンク送信元アドレスとして第２の気付けアドレスとを含む登録要求メッセージを、第１の気付けアドレスに基づく第１の通信インタフェースから第１の通信メディアを介して前記ホームエージェントへ送信する登録要求メッセージ送信手段と、
前記ホームエージェントから、前記登録要求メッセージに対する登録確認メッセージを受信する登録確認メッセージ受信手段と、
前記登録確認メッセージを受信した際に、前記ホームエージェントに対して、第１の気付けアドレスに基づく第１の通信メディアを経由した上りリンク用の第１のトンネルを確立すると共に、第２の気付けアドレスに基づく第２の通信メディアを経由した下りリンク用の第２のトンネルを確立するトンネル生成手段とを有し、
前記ホームエージェントは、
前記モバイルノードから前記登録要求メッセージを受信する登録要求メッセージ受信手段と、
前記登録要求メッセージに対する登録確認メッセージを、前記モバイルノードへ送信する登録確認メッセージ送信手段と、
前記モバイルノードに対して、第１の気付けアドレスに基づく第１の通信メディアを経由した上りリンク用の第１のトンネルを確立すると共に、第２の気付けアドレスに基づく第２の通信メディアを経由した下りリンク用の第２のトンネルを確立するトンネル生成手段とを有する
ことを特徴とするシステム。
【請求項６】
前記登録要求メッセージは、バインディング登録要求メッセージであり、
前記登録確認メッセージは、バインディング登録確認メッセージであり、
前記モバイルノードの前記登録要求メッセージ送信手段は、第１の気付けアドレス及び第２の気付けアドレスを、前記バインディング登録要求メッセージの拡張フィールドに含めることを特徴とする請求項５に記載のシステム。
【請求項７】
前記モバイルノードは、
前記通信インタフェース毎に、上りリンク及び下りリンクについて通信状態を検知する通信状態検知手段と、
前記通信インタフェース毎の上りリンク及び下りリンクそれぞれの通信状態に応じて、上りリンク及び下りリンクの通信メディアを選択する通信メディア選択手段と
を更に有することを特徴とする請求項５又は６に記載のシステム。
【請求項８】
前記モバイルノードは、
上りリンク及び下りリンク毎に、前記通信インタフェースの優先順位が対応付けられたユーザ設定テーブルを更に有し、
前記通信メディア選択手段は、ユーザ設定テーブルの優先順位を更に参照して、上りリンク及び下りリンクの通信メディアを選択する
ことを特徴とする請求項７に記載のシステム。
【発明の詳細な説明】
【技術分野】
【０００１】
本発明は、モバイルＩＰ(Internet Protocol)ネットワークについてトンネルを生成する技術に関する。
【背景技術】
【０００２】
近年、無線通信メディアの発展に伴って、複数の通信インタフェースを備えた移動端末が普及してきている。移動透過性を確保するモバイルＩＰネットワークについても、移動端末としてのモバイルノード(Mobile Node)が、複数の通信インタフェースを備えることが好ましい。利用者は、モバイルノードの通信メディアを、在圏位置、通信速度、通信品質、料金等の条件に応じて切り替えることによって、シームレスに最適な通信メディアを使用することができる。
【０００３】
図１は、従来技術におけるシステム構成図である。
【０００４】
モバイルノード１は、複数の通信メディアに接続するための複数の通信インタフェースを有する。通信メディアとしては、有線／無線アクセスネットワークや衛星通信ネットワークがある。無線アクセスネットワークとしては、例えば無線ＬＡＮ(Local Area Network)、携帯電話網、ＷｉＭＡＸ(Worldwide Interoperability for Microwave Access)がある。衛星通信ネットワークとしては、例えばイリジウムのような通信衛星がある。図１によれば、モバイルノード１は、無線アクセスネットワーク用の第１の通信インタフェースと、衛星通信ネットワーク用の第２の通信インタフェースとを備えている。
【０００５】
モバイルノード１は、ホームネットワークに接続されたホームエージェント２に属しており、そのホームエージェント２は、インターネット６に接続されている。図１によれば、モバイルノード１は、無線アクセスネットワーク４及びインターネット６を経由して、ホームエージェント２と通信可能であると共に、衛星通信ネットワーク５及びインターネット６を経由して、ホームエージェント２と通信可能である。モバイルＩＰネットワークによれば、モバイルノード１は、ホームエージェント２を介して、相手方ノード３と通信することができる。
【０００６】
モバイルノード１は、通信インタフェース毎に、気付けアドレスを付与する。しかしながら、既存のホームエージェント２は、モバイルノード１のホームアドレスHoA(Home Address)に対して、１つの気付けアドレスCoA(Care of Address)しか登録することができない。そのために、モバイルノード１は、複数の通信メディアに同時に接続することができるにも関わらず、ホームエージェント２に対して、１つの気付けアドレスの通信メディアしか利用できない。従って、通信メディアを切り替える毎に、モバイルノード１は、気付けアドレスCoAを、再度、ホームエージェント２へ登録しなければならない。
【０００７】
この問題に対し、モバイルノードが、ＢＩＤ(Binding IDentifier)を用いて、複数の気付けアドレスCoAをホームエージェント２に同時に登録することができる技術がある（例えば非特許文献１のＭＣｏＡ(Multiple Care of Address)参照）。この技術によれば、モバイルノードは、ホームエージェントとの間で、バインディング更新要求メッセージＢＵ(Binding Update)と、バインディング更新確認メッセージＢＡ(Binding ACK)とを交換する。これによって、モバイルノードは、ホームアドレス及び複数の気付けアドレスをホームエージェントに登録することによって、複数のトンネルを生成することができる。
【０００８】
図２は、従来技術におけるＭＣｏＡのシーケンス図である。
【０００９】
（Ｓ２０１）モバイルノード１は、ホームアドレスHoA及び第１の気付けアドレスCoA1を含むバインディング登録要求メッセージを、無線アクセスネットワークを介して、ホームエージェント２へ送信する。
（Ｓ２０２）ホームエージェント２は、HoAにCoA1を対応付けて経路制御テーブルに登録する。
（Ｓ２０３）これに対し、ホームエージェント２は、バインディング登録確認メッセージを、無線アクセスネットワークを介して、モバイルノード１へ返信する。
（Ｓ２０４）これによって、モバイルノード１とホームエージェント２との間で、無線アクセスネットワークを介したトンネルを生成することができる。
（Ｓ２１１）モバイルノード１は、Ｓ２０１と同様に、ホームアドレスHoA及び第２の気付けアドレスCoA2を含むバインディング登録要求メッセージを、衛星通信ネットワークを介して、ホームエージェント２へ送信する。
（Ｓ２１２）ホームエージェント２は、更に、HoAにCoA2を対応付けて経路制御テーブルに登録する。
（Ｓ２１３）これに対し、ホームエージェント２は、バインディング登録確認メッセージを、衛星通信ネットワークを介して、モバイルノード１へ返信する。
（Ｓ２１４）これによって、モバイルノード１とホームエージェント２との間で、衛星通信ネットワークを介したトンネルを生成することができる。
【００１０】
また、他の技術として、モバイルノードとホームエージェントとの間で複数のトンネルが確立されている場合に、一方の通信メディアにおける片方向リンクの通信品質が劣悪になった際、その片方向リンクを他方の通信メディアに切り替えることができる技術がある（例えば特許文献１参照）。この技術によれば、上りリンクと下りリンクとで異なる通信メディアを経由して通信することができる。
【先行技術文献】
【特許文献】
【００１１】
【特許文献１】特開２００７−２６６９８９号公報
【非特許文献】
【００１２】
【非特許文献１】RFC 5648 MCoA October 2009
【発明の概要】
【発明が解決しようとする課題】
【００１３】
しかしながら、非特許文献１に記載された技術によれば、バインディング登録要求メッセージ及びバインディング登録確認メッセージを交換することによってトンネルを生成するために、双方向リンクの通信メディアを使用しなければならない。また、特許文献１に記載された技術によれば、複数のトンネルを生成した後に、通信品質の劣悪に応じて、一方の通信メディアの片方向リンクを他方の通信メディアに切り替えるものであって、トンネルを生成するためには、双方向リンクの通信メディアを使用しなければならない。即ち、いずれの技術によっても、片方向リンクの通信メディアを使用することは想定されておらず、トンネルを生成する通信メディアは、双方向リンクのものに限られていた。
【００１４】
そこで、本発明は、モバイルＩＰネットワークについて、片方向リンクの通信メディアであっても、上りリンク及び下りリンク毎に異なる通信メディアを使用可能とし、モバイルノードとホームエージェントとの間で複数の非対称なトンネルを生成することができる経路制御方法及びシステムを提供することを目的とする。
【課題を解決するための手段】
【００１５】
本発明によれば、ホームエージェントと、該ホームエージェントに対して複数の経路を同時に確立するために複数の通信インタフェースを有するモバイルノードとを有するモバイルＩＰネットワークシステムにおける経路制御方法において、
モバイルノードは、第１の通信インタフェースに第１の気付けアドレスを付与し、第２の通信インタフェースに第２の気付けアドレスを付与しており、
モバイルノードが、ホームネットワークに対応するホームエージェントアドレスと、上りリンク送信元アドレスとしての第１の気付けアドレスと、下りリンク送信元アドレスとしての第２の気付けアドレスとを含む登録要求メッセージを、第１の気付けアドレスに基づく第１の通信インタフェースから第１の通信メディアを介してホームエージェントへ送信する第１のステップと、
ホームエージェントが、登録要求メッセージに対応する登録確認メッセージを、第２の気付けアドレスに基づく第２の通信メディアを介してモバイルノードへ返信する第２のステップと、
モバイルノード及びホームエージェントは、第１の気付けアドレスに基づく第１の通信メディアを経由した上りリンク用の第１のトンネルを確立すると共に、第２の気付けアドレスに基づく第２の通信メディアを経由した下りリンク用の第２のトンネルを確立する第３のステップと
を有することを特徴とする。
【００１６】
本発明の経路制御方法における他の実施形態によれば、
登録要求メッセージは、バインディング登録要求メッセージであり、
登録確認メッセージは、バインディング登録確認メッセージであり、
第１のステップについて、モバイルノードは、第１の気付けアドレス及び第２の気付けアドレスを、バインディング登録要求メッセージの拡張フィールドに含めることも好ましい。
【００１７】
本発明の経路制御方法における他の実施形態によれば、
モバイルノードは、通信インタフェース毎に、上りリンク及び下りリンクについて通信状態を検知し、
第１のステップについて、モバイルノードは、通信インタフェース毎の上りリンク及び下りリンクそれぞれの通信状態に応じて、上りリンク及び下りリンクの通信メディアを選択することも好ましい。
【００１８】
本発明の経路制御方法における他の実施形態によれば、
モバイルノードは、上りリンク及び下りリンク毎に、通信インタフェースの優先順位が対応付けられたユーザ設定テーブルを更に有し、
第１のステップについて、モバイルノードは、ユーザ設定テーブルの優先順位を更に参照して、上りリンク及び下りリンクの通信メディアを選択することも好ましい。
【００１９】
本発明によれば、ホームエージェントと、該ホームエージェントに対して複数の経路を同時に確立するために複数の通信インタフェースを有するモバイルノードとを有するモバイルＩＰネットワークのシステムにおいて、
モバイルノードは、第１の通信インタフェースに第１の気付けアドレスを付与し、第２の通信インタフェースに第２の気付けアドレスを付与しており、
モバイルノードは、
ホームネットワークに対応するホームエージェントアドレスと、上りリンク送信元アドレスとして第１の気付けアドレスと、下りリンク送信元アドレスとして第２の気付けアドレスとを含む登録要求メッセージを、第１の気付けアドレスに基づく第１の通信インタフェースから第１の通信メディアを介してホームエージェントへ送信する登録要求メッセージ送信手段と、
ホームエージェントから、登録要求メッセージに対する登録確認メッセージを受信する登録確認メッセージ受信手段と、
登録確認メッセージを受信した際に、ホームエージェントに対して、第１の気付けアドレスに基づく第１の通信メディアを経由した上りリンク用の第１のトンネルを確立すると共に、第２の気付けアドレスに基づく第２の通信メディアを経由した下りリンク用の第２のトンネルを確立するトンネル生成手段とを有し、
ホームエージェントは、
モバイルノードから登録要求メッセージを受信する登録要求メッセージ受信手段と、
登録要求メッセージに対する登録確認メッセージを、モバイルノードへ送信する登録確認メッセージ送信手段と、
モバイルノードに対して、第１の気付けアドレスに基づく第１の通信メディアを経由した上りリンク用の第１のトンネルを確立すると共に、第２の気付けアドレスに基づく第２の通信メディアを経由した下りリンク用の第２のトンネルを確立するトンネル生成手段とを有することを特徴とする。
【００２０】
本発明のシステムにおける他の実施形態によれば、
登録要求メッセージは、バインディング登録要求メッセージであり、
登録確認メッセージは、バインディング登録確認メッセージであり、
モバイルノードの登録要求メッセージ送信手段は、第１の気付けアドレス及び第２の気付けアドレスを、バインディング登録要求メッセージの拡張フィールドに含めることも好ましい。
【００２１】
本発明のシステムにおける他の実施形態によれば、モバイルノードは、
通信インタフェース毎に、上りリンク及び下りリンクについて通信状態を検知する通信状態検知手段と、
通信インタフェース毎の上りリンク及び下りリンクそれぞれの通信状態に応じて、上りリンク及び下りリンクの通信メディアを選択する通信メディア選択手段と
を更に有することも好ましい。
【００２２】
本発明のシステムにおける他の実施形態によれば、モバイルノードは、
上りリンク及び下りリンク毎に、通信インタフェースの優先順位が対応付けられたユーザ設定テーブルを更に有し、
通信メディア選択手段は、ユーザ設定テーブルの優先順位を更に参照して、上りリンク及び下りリンクの通信メディアを選択することも好ましい。
【発明の効果】
【００２３】
本発明の経路制御方法及びシステムによれば、モバイルＩＰネットワークについて、片方向リンクの通信メディアであっても、上りリンク及び下りリンク毎に異なる通信メディアを使用可能とし、モバイルノードとホームエージェントとの間で複数の非対称なトンネルを生成することができる。
【図面の簡単な説明】
【００２４】
【図１】従来技術におけるシステム構成図である。
【図２】従来技術におけるＭＣｏＡのシーケンス図である。
【図３】本発明におけるシーケンス図である。
【図４】本発明におけるモバイルノード及びホームエージェントの機能構成図である。
【発明を実施するための形態】
【００２５】
以下、本発明の実施の形態について、図面を用いて詳細に説明する。
【００２６】
図３は、本発明におけるシーケンス図である。
【００２７】
モバイルノード１は、ホームエージェント２に対して、片方向リンク毎に異なる経路を確立するために、複数の通信インタフェースを有する。モバイルノード１は、ホームネットワークにおけるホームアドレスHoAを有すると共に、第１の通信インタフェースに第１の気付けアドレスCoA1を付与し、第２の通信インタフェースに第２の気付けアドレスCoA2を付与している。ここで、本発明によって使用可能な通信メディアは、双方向リンクの通信インタフェースに限られず、片方向リンクの通信インタフェースであってもよい。
【００２８】
（Ｓ３０１）モバイルノード１は、片方向リンク毎にユーザ所望の通信メディアが設定された優先順位を取得する。優先順位毎に、上りリンクの通信メディア及び気付けアドレスと、下りリンクの通信メディア及び気付けアドレスとが、ユーザ設定テーブルに記憶されている。例えば、以下の表１のようなユーザ設定テーブルが記憶される。
【表１】
2011146844.tif 000003
【００２９】
表１によれば、ユーザは、優先順位１として、上りリンクとして通信メディアNW１を所望し、下りリンクとして通信メディアNW2を所望している。ユーザは、通信メディアの通信速度、通信品質、料金、在圏位置等の条件によっては、使用可能な通信メディアであっても、その使用を所望しない場合がある。
【００３０】
（Ｓ３０２）次に、モバイルノード１は、通信インタフェース毎に、上りリンク及び下りリンクの通信状態を検知する。例えば、以下の表２のような情報が記録される。
【表２】
2011146844.tif 000004
【００３１】
（Ｓ３０３）次に、モバイルノード１は、ユーザ設定テーブルと通信状態とを参照して、上りリンク及び下りリンクそれぞれについて通信メディアを選択する。ここで、ユーザ設定テーブルについて、優先順位１の上り／下りリンクの通信メディアから順に、通信可能か否かを判定する。優先順位１の上り／下りリンクの通信メディアが両方とも通信可能であれば、その通信メディアが選択される。逆に、優先順位１の上り／下りリンクの通信メディアのいずれか一方でも通信不可であれば、次に、優先順位２の上り／下りリンクの通信メディアについて、通信可能か否かを判定する。これによって、モバイルノード１は、例えば、上りリンクには無線アクセスネットワークを用いてデータを送信し、下りリンクには衛星通信ネットワークを用いてデータを受信することができる。
【００３２】
尚、本発明によれば、ユーザ設定テーブルは無くてもよく、その場合、通信状態のみが考慮される。また、更に通信状態を検知することなく、上りリンクの通信メディアと下りリンクの通信メディアとが、予め固定的に設定されていてもよい。
【００３３】
（Ｓ３０４）モバイルノード１は、登録要求メッセージを、第１の通信インタフェースから第１の通信メディアを介してホームエージェント２へ送信する。登録要求メッセージは、モバイルＩＰにおけるバインディング登録要求メッセージ（又はバインディング更新要求メッセージ）である。バインディング登録要求メッセージには、ホームネットワークに対するホームエージェントアドレスHoAが付与され、上りリンク送信元アドレスとして第１の気付けアドレスCoA1が付与され、下りリンク送信元アドレスとして第２の気付けアドレスCoA2が付与される。
【００３４】
尚、モバイルＩＰの規格上、１つのバインディング登録要求メッセージに、複数の気付けアドレスを含めることはできない。そのため、本発明によれば、第１の気付けアドレスCoA1及び第２の気付けアドレスCoA2は、バインディング登録要求メッセージの拡張フィールドに含められる。本発明に対応したモバイルノード１が、本発明に対応しないホームエージェント２へ、バインディング登録要求メッセージを送信したとしても、ホームエージェント２は、その拡張フィールドを無視するだけである。
【００３５】
図３によれば、モバイルノード１から送信されたバインディング登録要求メッセージは、無線アクセスネットワークを介して、ホームエージェント２へ送信される。
【００３６】
（Ｓ３０５）ホームエージェント２は、バインディング登録要求メッセージに基づいて、経路制御テーブルに、ホームアドレスHoAに対応付けて、上りリンクに第１の気付けアドレスCoA1を登録し、下りリンクに第２の気付けアドレスCoA2を登録する。
【００３７】
（Ｓ３０６）次に、ホームエージェント２は、バインディング登録要求メッセージに対するバインディング登録確認メッセージを、第２の通信メディアを経由してモバイルノード１へ返信する。ここで、本発明によれば、第２の通信メディアを経由する点に特徴がある。図３によれば、バインディング登録確認メッセージは、衛星通信ネットワークを経由して、モバイルノード１へ返信される。
【００３８】
（Ｓ３０７）そして、モバイルノード１及びホームエージェント２は、第１の通信メディアを経由した上りリンク用の第１のトンネルを確立すると共に、第２の通信メディアを経由した下りリンク用の第２のトンネルを確立する。図３によれば、上りリンク用の第１のトンネルは無線アクセスネットワークを経由して確立され、下りリンク用の第２のトンネルは衛星通信ネットワークを経由して確立される。
【００３９】
図４は、本発明におけるモバイルノード及びホームエージェントの機能構成図である。
【００４０】
図４によれば、モバイルノード１は、第１の通信インタフェース１０１と、第２の通信インタフェース１０２とを有する。図４によれば、例えば、第１の通信インタフェース１０１が接続する通信メディアは無線アクセスネットワークであり、第２の通信インタフェース１０２が接続する通信メディアは衛星通信ネットワークである。通信インタフェースは、双方向リンクのものであってもよいし、片方向リンクのものであってもよい。
【００４１】
また、モバイルノード１は、既存の通信機能として、データ送受信部１１１と、経路制御部１１２と、ＩＰ処理部１１３とを有する。データ送受信部１１１から出力されたデータパケットは、経路制御部１１２によって経路が制御され、ＩＰ処理部１１３へ出力される。ＩＰ処理部１１３は、そのデータパケットにＩＰヘッダを付加し、第１の通信インタフェース１０１又は第２の通信インタフェース１０２へ出力する。同様に、第１の通信インタフェース１０１又は第２の通信インタフェース１０２から受信したＩＰパケットは、ＩＰ処理部１１３によってＩＰヘッダが除去され、経路制御部１１２を介して、データ送受信部１１１に入力される。
【００４２】
更に、本発明におけるモバイルノード１は、登録要求メッセージ送信部１２１と、登録確認メッセージ受信部１２２と、トンネル生成部１２３と、ユーザ設定テーブル１２４と、通信状態検知部１２５と、通信メディア選択部１２６とを有する。通信インタフェース以外のこれら機能構成部は、モバイルノードに搭載されたコンピュータを機能させるプログラムを実行することによって実現される。
【００４３】
ユーザ設定テーブル１２４は、優先順位毎に、上りリンクの通信メディア及び気付けアドレスと、下りリンクの通信メディア及び気付けアドレスとを記憶する（図３のＳ３０１及び表１参照）。
【００４４】
通信状態検知部１２５は、通信インタフェース毎に、上りリンク及び下りリンクの通信状態を検知する（図３のＳ３０２及び表２参照）。
【００４５】
通信メディア選択部１２６は、ユーザ設定テーブルと通信状態とを参照して、上りリンク及び下りリンクそれぞれについて通信メディアを選択する（図３のＳ３０３参照）。選択されたリンク毎の通信メディアの情報は、登録要求メッセージ送信部１２１へ出力される。
【００４６】
登録要求メッセージ送信部１２１は、バインディング登録要求メッセージを、第１の通信インタフェースから第１の通信メディアを介してホームエージェント２へ送信する（図３のＳ３０４参照）。バインディング登録要求メッセージには、ホームネットワークに対応する送信元アドレスとしてホームエージェントアドレスが付与され、上りリンク送信元アドレスとして第１の気付けアドレスが付与され、下りリンク送信元アドレスとして第２の気付けアドレスが付与される。
【００４７】
登録確認メッセージ受信部１１２は、ホームエージェント２から、バインディング登録要求メッセージに対するバインディング登録確認メッセージを受信する（図３のＳ３０６参照）。その情報は、トンネル生成部１２３へ出力される。
【００４８】
トンネル生成部１１３は、ホームエージェント２に対して、第１の気付けアドレスCoA1に基づく第１の通信メディアを経由した上りリンク用の第１のトンネルを確立すると共に、第２の気付けアドレスCoA2に基づく第２の通信メディアを経由した下りリンク用の第２のトンネルを確立する（図３のＳ３０７参照）。
【００４９】
尚、モバイルノード１について、通信インタフェースに付与される気付けアドレスは、予め静的に与えられているものであってもよいし、ネットワークからＤＨＣＰ(Dynamic Host Control Protocol)によって取得されるものであってもよい。尚、片方向リンクであっても、アドレス取得のためにデータ量の少ないシグナリングのみを許可して逆方向リンクに転送されるものであってもよい。
【００５０】
図５によれば、ホームエージェント２は、既存の通信機能として、通信インタフェース２０１と、データ送受信部２１１と、経路制御部２１２と、ＩＰ処理部２１３とを有する。また、ホームエージェント２は、登録要求メッセージ受信部２２１と、登録確認メッセージ送信部２２２と、トンネル生成部２２３とを有する。通信インタフェース以外のこれら機能構成部は、ホームエージェントに搭載されたコンピュータを機能させるプログラムを実行することによって実現される。
【００５１】
登録要求メッセージ受信部２１１は、モバイルノード１からバインディング登録要求メッセージを受信する。そのメッセージに含まれるHoA、CoA1及びCoA2は、経路制御部２１２へ出力され、経路制御テーブルに登録される。また、バインディング登録要求メッセージを受信した旨の情報が、登録確認メッセージ送信部２２２へ出力される。
【００５２】
登録確認メッセージ送信部２１２は、バインディング登録要求メッセージに対するバインディング登録確認メッセージを、モバイルノード１へ送信する。
【００５３】
トンネル生成部２１３は、モバイルノードに対して、第１の気付けアドレスCoA1に基づく第１の通信メディアを経由した上りリンク用の第１のトンネルを確立すると共に、第２の気付けアドレスCoA2に基づく第２の通信メディアを経由した下りリンク用の第２のトンネルを確立する。
【００５４】
以上、詳細に説明したように、本発明の経路制御方法及びシステムによれば、モバイルＩＰネットワークについて、上りリンク及び下りリンク毎に異なる通信メディアを使用する場合であっても、モバイルノードとホームエージェントとの間で複数の非対称なトンネルを生成することができる。
【００５５】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５６】
１  モバイルノード
１０１  第１の通信インタフェース
１０２  第２の通信インタフェース
１１１  データ送受信部
１１２  経路制御部
１１３  ＩＰ処理部
１２１  登録要求メッセージ送信部
１２２  登録確認メッセージ受信部
１２３  トンネル生成部
１２４  ユーザ設定テーブル
１２５  通信状態検知部
１２６  通信メディア選択部
２  ホームエージェント
２０１  通信インタフェース
２１１  データ送受信部
２１２  経路制御部
２１３  ＩＰ処理部
２２１  登録要求メッセージ受信部
２２２  登録確認メッセージ送信部
２２３  トンネル生成部
３  相手方ノード
４  無線アクセスネットワーク
４１  アクセスポイント
５  衛星通信ネットワーク
５０  通信衛星
５１  衛星地上局
６  インターネット
【図１】
2011146844.tif 000005
【図２】
2011146844.tif 000006
【図３】
2011146844.tif 000007
【図４】
2011146844.tif 000008